(57)【要約】      （修正有）【課題】比較的硬いペン先であってもユーザが容易に交換できるタッチペンを提供する。【解決手段】タッチペンは、筐体１２を含み、筐体１２の一方端には導電性の樹脂で形成された比較的硬いペン先１４を保持するホルダ３０が設けられる。ペン先１２の一部およびホルダ３０はペン先カバー１６で覆われ、ペン先カバー１６は筐体１２に接合される。ホルダ３０は、樹脂で形成され、二つに分離された部分で構成される挟持部３０ａを有する。ペン先１４は、挟持部３０ａを構成する二つの部分によって形成される孔に挿し込まれる。挟持部３０ａによって形成される孔３００は、ペン先１４の径よりも小さく設定され、ペン先１４は挟持部３０ａを構成する二つの部分の撓みによって挟持される。【選択図】図２
2019046006.tif 000002
【特許請求の範囲】
【請求項１】
ペン先と、
樹脂で形成され、前記ペン先を保持する保持部と、
前記保持部と連結される筐体を備え、
前記保持部は、前記ペン先を挟持する挟持部を含み、前記挟持部は前記ペン先を挟持したときに撓む、タッチペン。
【請求項２】
前記ペン先は、くびれを有し、
前記挟持部は、前記くびれの部分を挟持するための爪を有する、請求項１記載のタッチペン。
【請求項３】
ペン先と、
前記ペン先を保持する保持部と、
前記保持部と連結される筐体を備え、
前記保持部は、筒状の本体部と、前記本体部の内部に前記ペン先を挿し込む挿し込み孔を有する軟質物を有し、前記挿し込み孔の径は前記ペン先を挿し込んでいない状態において前記ペン先の径よりも小さい、タッチペン。
【請求項４】
前記本体部は前記軟質物の側面に設けられる突起部が係合される係合孔を有する、請求項３記載のタッチペン。
【請求項５】
前記保持部は前記タッチペンの軸方向に変位可能であり、
前記保持部が前記筐体の内部に向けて変位された場合に、前記保持部を前記筐体とは反対側に付勢する付勢部をさらに備える、請求項１から４までのいずれかに記載のタッチペン。
【請求項６】
前記付勢部は板ばねである、請求項５記載のタッチペン。
【請求項７】
前記板ばねは、前記ペン先と前記筐体を導通させる導電体で形成される、請求項６記載のタッチペン。
【発明の詳細な説明】
【技術分野】
【０００１】
この発明はタッチペンに関し、特にたとえば、静電容量方式のタッチパネルへの入力に用いられる、タッチペンに関する。
【背景技術】
【０００２】
背景技術の一例が特許文献１に開示されている。特許文献１に開示されたタッチペンは、金属で形成されている遮蔽軸の片端面に形成されたすり割りの入ったチャックにペン先が圧入される。
【先行技術文献】
【特許文献】
【０００３】
【特許文献１】特開２００８−１６５４７７号公報
【発明の概要】
【発明が解決しようとする課題】
【０００４】
しかしながら、特許文献１に開示されたタッチペンでは、すり割りの入ったチャックにペン先が圧入されるが、すり割りはあくまで誘い込み構造であり、すり割りよりも奥は柔軟性の無い筒である。このため、硬いペン先が取り付けられた場合には、交換が困難である。
【０００５】
それゆえに、この発明の主たる目的は、新規な、タッチペンを提供することである。
【０００６】
この発明の他の目的は、比較的硬いペン先であってもユーザが容易に交換できる、タッチペンを提供することである。
【課題を解決するための手段】
【０００７】
第１の発明は、ペン先と、樹脂で形成され、ペン先を保持する保持部と、保持部と連結される筐体を備え、保持部は、ペン先を挟持する挟持部を含み、挟持部はペン先を挟持したときに撓む、タッチペンである。
【０００８】
第２の発明は、第１の発明に従属し、ペン先は、くびれを有し、挟持部は、くびれの部分を挟持するための爪を有する。
【０００９】
第３の発明は、ペン先と、ペン先を保持する保持部と、保持部と連結される筐体を備え、保持部は、筒状の本体部と、本体部の内部にペン先を挿し込む挿し込み孔を有する軟質物を有する、挿し込み孔の径はペン先を挿し込んでいない状態においてペン先の径よりも小さい、タッチペンである。
【００１０】
第４の発明は、第３の発明に従属し、本体部は軟質物の側面に設けられる突起部が係合される係合孔を有する。
【００１１】
第５の発明は、第１から第４の発明までのいずれかに従属し、保持部はタッチペンの軸方向に変位可能であり、保持部が筐体の内部に向けて変位された場合に、保持部を筐体とは反対側に付勢する付勢部をさらに備える。
【００１２】
第６の発明は、第５の発明に従属し、付勢部は板ばねである。
【００１３】
第７の発明は、第６の発明に従属し、板ばねは、ペン先と筐体を導通させる導電体で形成される。
【発明の効果】
【００１４】
この発明によれば、比較的硬いペン先であってもユーザが容易に交換することができる。
【００１５】
この発明の上述の目的、その他の目的、特徴および利点は、図面を参照して行う以下の実施例の詳細な説明から一層明らかとなろう。
【図面の簡単な説明】
【００１６】
【図１】図１は、この発明の第１実施例に係るタッチペンの外観構成を示す図である。
【図２】図２（Ａ）は第１実施例のタッチペンのペン先を含む一部を拡大した拡大図であり、図２（Ｂ）は図２（Ａ）においてペン先カバーを取り外した状態を示す図であり、図２（Ｃ）は図２（Ａ）のタッチペンのペン先を含む一部の断面図である。
【図３】図３（Ａ）は第２実施例のタッチペンのペン先を含む一部の拡大図であって、ペン先カバーを取り外した状態を示す図であり、図３（Ｂ）は第２実施例のタッチペンのペン先を含む一部の断面図である。
【図４】図４（Ａ）は第３実施例のタッチペンのペン先を含む一部の拡大図であって、ペン先カバーを取り外した状態を示す図であり、図４（Ｂ）は第３実施例のタッチペンのペン先を含む一部の断面図である。
【図５】図５（Ａ）は第４実施例のタッチペンのペン先を含む一部の拡大図であって、ペン先カバーを取り外した状態を示す図であり、図５（Ｂ）は第４実施例のタッチペンのペン先を含む一部の断面図である。
【図６】図６（Ａ）は第５実施例のタッチペンのペン先を含む一部を拡大した拡大図であり、図６（Ｂ）は図６（Ａ）のタッチペンのペン先を含む一部の断面図である
【図７】図７（Ａ）は第６実施例のタッチペンのペン先を含む一部を拡大した拡大図であり、図７（Ｂ）は図７（Ａ）のペン先カバーを筐体に接続される側の開口側から見た図であり、図７（Ｃ）は図７（Ａ）のタッチペンのペン先１４を含む一部の断面図である。
【発明を実施するための形態】
【００１７】
以下、本発明の実施例に係るタッチペンについて図面を参照しながら説明する。
【００１８】
［第１実施例］
図１は、この発明の第１実施例に係るタッチペン１０の外観構成を示す図である。第１実施例のタッチペン１０は、電子黒板およびタブレット端末のようなタッチパネルを備える電子機器の操作に用いられ、具体的には、タッチ入力によって、タッチパネル上の任意の座標（点）を指示したり、線、文字等を書いたりする場合に用いられる。
【００１９】
図１を参照して、タッチペン１０は筐体１２を含み、筐体１２は非導電性の樹脂で形成される。ただし、筐体１２は、導電性を有する樹脂、非導電性の樹脂に導電性を有する帰属メッキが施されたものまたは金属（たとえば、アルミ）で形成されてもよい。また、タッチペン１０はペン先１４を含み、ペン先１４の一部を覆うペン先カバー１６が筐体１２に接合される。ペン先カバー１６もまた、非導電性の樹脂で形成される。また、筐体１２の表面には、ボタン１８が設けられる。さらに、タッチペン１０は、ロック部材２０を含み、筐体１２のうち、ペン先カバー１６が接合される側の端部とは反対側の端部に取り付けられる。
【００２０】
筐体１２は、円筒形状に形成され、ペン先カバー１６と接合される側の端部に、後述するホルダ（保持部）３０が連結され、ホルダ３０にペン先１４が取り付けられる。ペン先１４は、導電性の樹脂で形成される。第１実施例では、ペン先１４は導電性を有するポリアセタールで形成される。導電性を有するポリアセタールは比較的硬い樹脂である。また、ペン先１４の両端部は、それらを除く中央部と比較して、端に向かうに従って次第に細くされる。筐体１２の側面には、ボタン１８が設けられる。この実施例では、１つのボタン１８が設けられる場合について説明するが、２つ以上のボタン１８が設けられてもよい。
【００２１】
なお、一般的には、タッチパネルを傷つけないために柔らかい素材でペン先１４が形成されるが、静電容量方式のタッチパネルに使用するタッチペン１０の場合には、ペン先１４が導電性を有する樹脂で形成され、したがって、ペン先１４は比較的硬い素材で形成されることになる。
【００２２】
また、筐体１２は、この筐体１２の長手方向に延びる１枚の電子基板３２を収納する（図２（Ｃ）参照）。図示は省略するが、筐体１２は２つの部材で構成されており、２つの部材は電子基板３２を挟んで固定し、ペン先カバー１６およびロック部材２０を取り付けることによりロックされる。
【００２３】
なお、電子基板３２に実装される各回路コンポーネントには交換可能に筐体１２内に設けられる電池から電源が付与される。
【００２４】
ペン先カバー１６は、先端（筐体１２とは逆向き）に向かうに従って径が次第に小さくされる円錐台形状に形成され、先端面（円錐台の上面）にペン先１４を通すための開口１６０が設けられる。また、ペン先カバー１６は、円錐台の底面に開口１６２が設けられ、この開口１６２から筐体１２の一部、ペン先１４の一部およびホルダ３０を収容し、筐体１２に接合（螺合）される。ただし、ペン先カバー１６は、筐体１２に螺合されることに代えて、接着されたり、ねじ構造で固定されたりしてもよい。
【００２５】
ボタン１８には、所定の機能が割り当てられている。たとえば、タッチペン１０の電源をオン／オフする機能およびモード（ペンまたは消しゴムのモード）またはメニュー（線の種類、太さ、色など）を選択する機能などが該当する。たとえば、ボタン１８が長押しされることにより、電源がオン／オフされる。また、タッチペン１０の電源がオンされた状態でボタン１８が押される（長押しではない）と、モードまたはメニューが順次変更され、選択される。
【００２６】
図２（Ａ）は第１実施例のタッチペン１０のペン先１４を含む一部を拡大した拡大図であり、図２（Ｂ）は図２（Ａ）においてペン先カバー１６を取り外した状態を示す図であり、図２（Ｃ）は図２（Ａ）のタッチペン１０のペン先１４を含む一部の断面図である。
【００２７】
図２（Ａ）〜図２（Ｃ）を参照して、ホルダ３０は、ペン先１４を保持する側の端部が均等に二つに分離された部分で構成される挟持部３０ａを有し、ペン先１４は挟持部３０ａによって挟持（保持）される。第１実施例では、ホルダ３０は、非導電性の樹脂（ポリエチレン、ポリスチレン、ポリカーボネイト、ＡＢＳなどの硬質樹脂）で形成されるが、導電性の樹脂（導電性ポリアセタール、導電性ポリエチレンなどの硬質樹脂）で形成されてもよい。
【００２８】
挟持部３０ａは、中空の円柱を筐体１２とは連結された側の面（円筒の底面）を除いて二つに分離され、円柱の側面に円柱の高さ方向（ペン先１４の軸方向）とは直交する方向に貫通する孔３００が形成される。また、挟持部３０ａは、二つに分離された部分によって、ペン先１４を保持する側の端部（端面）の中央に孔３０２が形成される。この孔３０２の径は、ペン先１４を挟持していない状態において、ペン先１４の径よりも小さく設定される。したがって、ペン先１４がホルダ３０に装着された場合には、挟持部３０ａの二つに分離した部分はそれぞれ外方（二つに分離した挟持部３０ａが離れる方向）に撓む。このため、挟持部３０ａの二つに分離した部分の各々には復元力が発生し、この復元力によってペン先１４が挟持（保持）される。このように、挟持部３０ａの二つに分離した部分の撓みによってペン先１４を挟持するだけなので、比較的硬いペン先１４であっても容易に交換することができる。
【００２９】
また、ホルダ３０は、ペン先１４を保持する側の端部とは反対側に延びる直線状の棒部材３０ｂを含み、棒部材３０ｂは挟持部３０ａに接続される。また、円盤部材３０ｃが、挟持部３０ａと所定の距離を隔てて棒部材３０ｂに設けられる。この円盤部材３０ｃが筐体１２の端部に設けられる空間内に位置するように、ホルダ３０が筐体１２に連結される。円盤部材３０ｃは筐体１２との間に隙間が設けられるため、円盤部材３０ｃはタッチペン１０（ペン先１４）の軸方向に変位可能である。このため、ペン先１４は、円盤部材３０ｃが変位可能な範囲でホルダ３０とともにタッチペン１０の軸方向に変位する。
【００３０】
電子基板３２には、図示は省略するが、タッチペン１０を制御するコントローラ、上記のボタン１８のオン／オフの信号をコントローラに入力するためのインターフェース、メモリ（ＲＯＭおよびＲＡＭ）、Bluetooth（登録商標）またはWi-Fi（登録商標）などの所定の通信方式の通信回路、電源線および信号線などが設けられる。
【００３１】
なお、ボタン１８が操作された（押された）ことは通信回路およびアンテナを介して電子黒板などを制御するコンピュータに通知される。したがって、コンピュータは、タッチペン１０によってタッチパネル等がタッチされたことを検出する。ただし、通信回路は、電子基板３２に実装せずに、電子基板３２に実装されたプロセッサとデータを送受信可能に接続されてもよい。
【００３２】
また、感圧センサ３４が電子基板３２に取り付けられる（固定される）。感圧センサ３４は、ペン先１４の直径よりも大きい（広い）検出面を有し、断面がＬ字状に形成される。また、感圧センサ３４の検出面（検出部）は、断面におけるＬ字の縦長の棒の部分に相当し、ホルダ３０の棒部材３０ｂが変位する方向に対して垂直に配置される。したがって、ペン先１４およびホルダ３０が筐体１２側に変位した場合、感圧センサ３４の検出部にホルダ３０の棒部材３０ｂが当たる。このため、感圧センサ３４の検出部において抵抗値が変化する。これによって、ペン先１４およびホルダ３０が筐体１２側に変位していること、すなわち、タッチペン１０がタッチパネル等をタッチしていることが検出される。この検出結果は、ボタン１８が押されたことと同様に、通信回路およびアンテナを介して電子黒板などを制御するコンピュータに通知される。
【００３３】
このような構成のタッチペン１０では、ペン先１４が導電性を有するため、タッチペン１０のペン先１４が静電容量方式のタッチパネルに接触した場合には、ペン先１４が接触する部分においてタッチパネルの内部の電極間の静電容量が変化し、これによって、当該部分において、タッチされたことが検出される。
【００３４】
第１実施例によれば、ペン先１４をホルダ３０の挟持部３０ａの二つに分離した部分の撓みによって挟持するだけなので、比較的硬い素材で形成されたペン先１４であっても容易に交換することができる。
【００３５】
なお、第１実施例のタッチペン１０では、ボタン１８、電子基板３２および感圧センサ３４を設けた電子ペンが構成されるが、電気的な構成を有しないスタイラスペンが構成されてもよい。
【００３６】
また、第１実施例では、ホルダ３０はペン先１４の軸方向に変位可能に筐体１２に連結するようにしたが、これに限定される必要はない。たとえば、ホルダ３０は筐体１２に圧入されたり、接着されたりしてもよい。
【００３７】
さらに、第１実施例では、二つに分離した挟持部３０ａを設けるようにしたが、三つ以上に分離した挟持部３０ａを設けるようにしてもよい。ただし、分離した各部分が均等な復元力でペン先１４を挟持する必要がある。
【００３８】
さらに、第１実施例では、ペン先１４は導電性を有するポリアセタールで形成したが、赤外線方式または抵抗膜方式のタッチパネルに用いられるタッチペン１０の場合には、ペン先１４は導電性を有しない超高分子量ポリエチレンで形成される。ペン先１４が導電性を有しない超高分子量ポリエチレンで形成される場合であっても、上述の第１実施例で示したようにタッチペン１０を構成することにより、ユーザが容易にペン先１４を交換することができる。
【００３９】
［第２実施例］
第２実施例のタッチペン１０は第１実施例のタッチペン１０のホルダ３０を他のホルダ４０に変更した以外は同じであるため、異なる内容について説明することにする。
【００４０】
図３（Ａ）は第２実施例のタッチペン１０のペン先１４を含む一部の拡大図であって、ペン先カバー１６を取り外した状態を示す図であり、図３（Ｂ）は第２実施例のタッチペン１０のペン先１４を含む一部の断面図である。
【００４１】
第２実施例では、ホルダ４０は筒状部４０ａを含み、筒状部４０ａの内部には、円柱形状の軟質物４２が収容される。軟質物４２としては、ウレタンまたはゴムのような樹脂（弾性部材）を用いることができる。軟質物４２は円柱の中心にペン先１４を保持するための孔（挿し込み孔）４２ａを有している。孔４２ａは、ペン先１４を保持していない状態において、ペン先１４の両端部およびくびれ１４０の径よりも小さい径に設定される。ペン先１４は軟質物４２の孔４２ａに圧入される。ペン先１４の端部は中央部よりも細くされているため、端部が細くされていない場合と比べて、ペン先１４を軟質物４２の孔４２ａに圧入し易い。軟質物４２の孔４２ａに挿し込まれたペン先１４は軟質物４２との摩擦力によって固定される。また、軟質物４２の側面には、複数の突起４２ｂが形成される。この第２実施例では、二つの突起４２ｂは側面の外周において１８０°ずれた位置に形成される。
【００４２】
筒状部４０ａはペン先１４側の端面が開放され、その逆側の端面は塞がれる。筒状部４０ａの側面には、複数の突起４２ｂを係合させるための複数の孔（係合孔）４００が形成される。第２実施例では、二つの孔４００が、突起４２ｂに対応する位置であり、互いに対向する位置に形成される。突起４２ｂが孔４００に係合されることで、ペン先１４の交換時または／タッチペン１０の使用時において、軟質物４２が筒状部４０ａから離脱するのが防止される。
【００４３】
なお、二つの孔４００は対向する位置からずれた位置に形成されてもよいが、二つの孔４００が接近し過ぎないようにする必要がある。二つの孔４００が接近し過ぎた場合には、一つの孔４００が形成された場合と離脱防止効果がほとんど変わらないからである。ただし、二つの孔４００の位置が対向する位置からずれた位置に形成される場合には、それに合わせて軟質物４２の側面に設けられる二つの突起４２ｂの位置も変更される。
【００４４】
また、ホルダ４０は、ペン先１４を保持する側の端部とは反対側に延びる直線状の棒部材４０ｂを含み、棒部材４０ｂは筒状部４０ａに接続される。また、円盤部材４０ｃが、筒状部４０ａと所定の距離を隔てて棒部材４０ｂに設けられる。この円盤部材４０ｃが筐体１２の端部に設けられる空間内に位置するように、ホルダ４０が筐体１２に連結される。円盤部材４０ｃは筐体１２との間に隙間が設けられるため、上記の空間内において、円盤部材４０ｃはタッチペン１０（ペン先１４）の軸方向に変位可能である。このため、ペン先１４は、円盤部材４０ｃが変位可能な範囲でホルダ４０とともにタッチペン１０の軸方向に変位する。
【００４５】
なお、タッチペン１０が使用される場合に、ペン先１４およびホルダ４０の棒部材４０ｂが筐体１２側に変位されると、ホルダ４０の棒部材４０ｂが感圧センサ３４に当たる点は第１実施例と同じである。
【００４６】
第２実施例によれば、ペン先１４は軟質物４２の孔４２ａに圧入されるだけなので、第１実施例と同様に、ペン先１４を容易に交換することができる。
【００４７】
なお、第２実施例では、筒状部４０ａの側面に孔４００を形成するとともに、軟質物４２の側面に突起４２ｂを形成したが、軟質物４２を筒状部４０ａに接着する場合には、孔４００および突起４２ｂは形成しなくてもよい。
【００４８】
［第３実施例］
第３実施例のタッチペン１０は、ペン先１４およびホルダ３０の一部の形状が異なる以外は第１実施例と同じであるため、異なる内容についてのみ説明する。
【００４９】
図４（Ａ）は第３実施例のタッチペン１０のペン先１４を含む一部の拡大図であって、ペン先カバー１６を取り外した状態を示す図であり、図４（Ｂ）は第３実施例のタッチペン１０のペン先１４を含む一部の断面図である。
【００５０】
第３実施例では、ホルダ３０の挟持部３０ａは、ペン先１４側に突出する爪３１０を有している。ペン先１４では、この爪３１０に対応する部分において、くびれ１４０が設けられる。したがって、挟持部３０ａによって形成される孔３０２は、ペン先１４のくびれ１４０が設けられる部分およびペン先１４の両端部分を除く部分の径よりもかなり小さくされる。このため、爪３１０がペン先１４のくびれ１４０に係止すると、第１実施例のタッチペン１０と比較して、ペン先１４がホルダ３０から外れ難くすることができる。
【００５１】
第３実施例においても、第１実施例と同様の効果を奏する。
【００５２】
また、第３実施例においては、ペン先１４をホルダ３０に取り付ける場合に、爪３１０はペン先１４のくびれ１４０よりも太い部分を通過した後にくびれ１４０に係止するため、挟持部３０ａの撓みによってペン先１４との間に発生する摩擦力が変化する。したがって、ユーザはペン先１４が適切に位置まで挿し込まれたことを手の感触で知ることができる。
【００５３】
［第４実施例］
第４実施例のタッチペン１０は、導電性を有する筐体１２を用いるとともに、筐体１２とペン先１４を導通させるようにした以外は第１実施例と同じであるため、異なる内容についてのみ説明する。
【００５４】
図５（Ａ）は第４実施例のタッチペン１０のペン先１４を含む一部の拡大図であって、ペン先カバー１６を取り外した状態を示す図であり、図５（Ｂ）は第４実施例のタッチペン１０のペン先１４を含む一部の断面図である。
【００５５】
第４実施例のタッチペン１０では、一部がペン先１４とホルダ３０の間に配置され、筐体１２の内部まで延びる導電部材５０が設けられる。導電部材５０は、帯状に延びた導電性の金属（アルミまたは銅など）の板を適宜折り曲げで形成される。図示は省略するが、導電部材５０は筐体１２内部において、筐体１２の内側面に接触される。たとえば、導電部材５０は、筐体１２の内側面に、導電性の接着剤を用いて接着される。したがって、筐体１２とペン先１４が電気的に接続（導通）される。また、導電部材５０は板ばねとしても機能する。
【００５６】
このような構成のタッチペン１０では、ペン先１４は、導電部材５０を介して、導電性を有する筐体１２と電気的に接続（導通）される。また、筐体１２は、タッチペン１０を把持（使用）するユーザの手指に接触するため、筐体１２が接地されているものと見なすことができる。このため、十分な静電容量を確保することができる。したがって、タッチペン１０のペン先１４が静電容量方式のタッチパネルに接触した場合には、ペン先１４が接触する部分においてタッチパネルの内部の電極間の静電容量が大きく変化し、これによって、当該部分において、タッチされたことが検出される。
【００５７】
また、第４実施例のタッチペン１０によってタッチパネルされる場合には、ペン先１４およびホルダ３０が筐体１２側に変位される。このため、導電部材５０が撓む。したがって、導電部材（板ばね）５０に復元力が働き、ペン先１４およびホルダ３０が筐体１２側とは反対側に付勢される（押し返される）。つまり、ユーザの筆圧により、ペン先１４が筐体１２側に変位するが、導電部材５０によって逆向きに付勢するので、適度な筆圧でタッチ入力することができる。よって、ユーザはタッチペン１０を用いて文字等を書く場合に、違和感を覚えることが無く、なめらかな書き味を提供することができる。
【００５８】
第４実施例によれば、第１実施例の効果を奏するとともに、電子黒板に設けられるタッチパネルのような比較的大きなタッチパネルであっても、静電容量の変化が大きいため、タッチペン１０によるタッチを正しく検出することができる。
【００５９】
また、第４実施例によれば、タッチペン１０を用いて文字等を書く場合に、ペン先１４およびホルダ３０が筐体１２側に変位されると、導電部材（板ばね）５０によって押し返されるため、なめらかな書き味を提供することができる。
【００６０】
なお、第４実施例では、板ばねとしても機能する導電部材５０を設けるようにしたが、これに限定される必要はない。導電部材５０に代えて、ペン先１４とホルダ３０の間にゴムまたは圧縮ばねを配置するようにしてよい。
【００６１】
また、第４実施例の変形は、第２実施例および第３実施例のタッチペン１０にも適用することができる。ただし、第２実施例のタッチペン１０に適用する場合には、導電部材５０をペン先１４と接触させるための孔を筒状部４０ａの側面に形成する必要がある。
【００６２】
［第５実施例］
第５実施例のタッチペン１０は、ペン先カバー１６の内部構造が異なる以外は第１実施例と同じであるため、異なる内容についてのみ説明する。
【００６３】
図６（Ａ）は第５実施例のタッチペン１０のペン先１４を含む一部を拡大した拡大図であり、図６（Ｂ）は図６（Ａ）のタッチペン１０のペン先１４を含む一部の断面図である。
【００６４】
第５実施例のタッチペン１０では、ペン先カバー１６の開口１６０に接続される円筒状の支持部６０が設けられる。ペン先１４は開口１６０および支持部６０で形成される孔を通してホルダ３０で保持される。
【００６５】
たとえば、支持部６０が設けられていない場合には、タッチペン１０のペン先１４の先端に強い衝撃が加わった場合に、ペン先カバー１６の先端とホルダ３０の中間点またはその近傍で、ペン先１４が座屈し、ペン先１４が破損する虞がある。また、タッチペン１０を使用する場合に、ペン先１４がぐらつき、タッチ入力し難いことがある。この点、第６実施例のタッチペン１０では、支持部６０によってペン先１４が支持されるため、上記のような不都合を回避し、ペン先１４を保護することができる。
【００６６】
第５実施例によれば、ペン先カバー１６の開口１６０に接続される円筒状の支持部６０を設けるので、第１実施例の効果に加えて、ペン先１４を保護するとともにペン先１４のぐらつきを防止することができる。
【００６７】
［第６実施例］
第６実施例のタッチペン１０は、ペン先カバー１６の内部構造が異なる以外は第１実施例と同じであるため、異なる内容についてのみ説明する。
【００６８】
図７（Ａ）は第６実施例のタッチペン１０のペン先１４を含む一部を拡大した拡大図であり、図７（Ｂ）はペン先カバー１６を開口１６２側から見た図であり、図７（Ｃ）は図７（Ａ）のタッチペン１０のペン先１４を含む一部の断面図である。
【００６９】
第６実施例のタッチペン１０では、ペン先カバー１６の内部において、開口１６０に接続される支持部７０が複数の板部材７０ａで形成される。複数（第６実施例では、６枚）の板部材７０ａは、それぞれ、三角形の形状に形成される。ただし、ペン先カバー１６に接続される側の辺はペン先カバー１６の形状に沿って湾曲する。複数の板部材７０ａは、タッチペン１０の軸を中心に、所定の角度（第６実施例では、６０°）毎に配置される。各板部材７０ａのうち、ペン先カバー１６に接続される側の辺に対向する複数の辺によって第５実施例に示した筒状の支持部６０と同様の孔が形成される。つまり、支持部７０によって開口１６０に接続される孔が形成される。したがって、第６実施例においても、ペン先１４は開口１６０および支持部７０で形成された円筒状の孔を通してホルダ３０で保持される。
【００７０】
なお、板部材７０ａの枚数および配置する所定の角度は、ペン先１４を支持できる孔を形成できるのであれば、適宜変更することができる。
【００７１】
第６実施例によれば、第１実施例の効果を奏するとともに、ペン先カバー１６の開口１６０に接続される円筒状の孔を設けるので、第５実施例と同様に、ペン先１４を保護するとともにペン先１４のぐらつきを防止することができる。
【００７２】
なお、上述の各実施例で示したタッチペン１０の具体的な構成は実際の製品において適宜変更することができる。ペン先１４を交換可能な構成であれば、他の構成については大幅に変更されてもよい。
【符号の説明】
【００７３】
１０  …タッチペン
１２  …筐体
１４  …ペン先
１６  …ペン先カバー
１８  …ボタン
２０  …ロック部材
３０、４０  …ホルダ
３２  …電子基板
３４  …感圧センサ
４２  …軟質物
５０  …導電部材（板ばね）
６０、７０  …支持部
【図１】
2019046006.tif 000003
【図２】
2019046006.tif 000004
【図３】
2019046006.tif 000005
【図４】
2019046006.tif 000006
【図５】
2019046006.tif 000007
【図６】
2019046006.tif 000008
【図７】
2019046006.tif 000009